【手続補正書】
【提出日】平成28年5月18日(2016.5.18)
【手続補正１】
【補正対象書類名】明細書
【補正対象項目名】０１５２
【補正方法】変更
【補正の内容】
【０１５２】
当然のことながら、本発明は、一例としてのみ記載された上記の態様の詳細に限定されるべきでない。多くの変形が可能である。
（態様）
（態様１）
少なくとも１種の二無水物と少なくとも１種のジアミンとから生成されているポリイミドであって、該ジアミンの少なくとも５０ｗｔ％がダイマー脂肪族ジアミンからなる、ポリイミド。
（態様２）
該二無水物が、３,３’,４,４’−ビフェニルテトラカルボン酸二無水物、２,３,３’ ,４’−ビフェニルテトラカルボン酸二無水物、ピロメリット酸二無水物、３,３’,４,４’−ベンゾフェノンテトラカルボン酸二無水物、３,３’,４,４’−ジフェニルエーテルテトラカルボン酸二無水物、１,４−ヒドロキノンジベンゾエート−３,３’,４,４’−テトラカルボン酸二無水物および１,２,３,４−ブタンテトラカルボン酸二無水物から選択される、態様１に記載のポリイミド。
（態様３）
該ダイマー脂肪族ジアミンが、対応するダイマー脂肪酸から生成されている、態様１または態様２に記載のポリイミド。
（態様４）
該ダイマー脂肪族ジアミンが、Ｃ１０〜Ｃ３０脂肪酸の二量化生成物から誘導されている、態様１〜３のいずれか一項に記載のポリイミド。
（態様５）
該ダイマー脂肪族ジアミンが、Ｃ１６〜Ｃ２０脂肪酸の二量化生成物から誘導されている、態様４に記載のポリイミド。
（態様６）
該ダイマー脂肪族ジアミンの（質量平均）分子量が、４５０〜６９０の範囲内にある、態様１〜５のいずれか一項に記載のポリイミド。
（態様７）
該ダイマー脂肪族ジアミンが、直鎖または分枝不飽和脂肪酸から誘導されている、態様１〜６のいずれか一項に記載のポリイミド。
（態様８）
該ダイマー脂肪族ジアミンが、オレイン酸、リノール酸、リノレン酸、パルミトレイン酸、またはエライジン酸の二量化生成物から誘導されている、態様７に記載のポリイミド。
（態様９）
該ジアミンが、６０ｗｔ％超のダイマー脂肪族ジアミン含有量を有する、態様１〜８のいずれか一項に記載のポリイミド。
（態様１０）
該ダイマー脂肪族ジアミンが、１４０ｍｇＫＯＨ／ｇ〜３００ｍｇＫＯＨ／ｇｍの範囲のアミン価を有する、態様１〜９のいずれか一項に記載のポリイミド。
（態様１１）
該ダイマー脂肪族ジアミンのバルクアミン官能性が１．８超かつ２．３未満である、態様９または態様１０に記載のポリイミド。
（態様１２）
該ダイマー脂肪族ジアミンの（２５℃での）動粘度が、２００〜３００ｍＰａ．ｓの範囲にある、態様９〜１１のいずれか一項に記載のポリイミド。
（態様１３）
該ジアミンが、４０ｗｔ％未満のトリマー脂肪族トリアミン含有量を有する、態様１〜１２のいずれか一項に記載のポリイミド。
（態様１４）
該ポリイミドの分子量が、１０,０００〜３００,０００の範囲にある、態様１〜１３のいずれか一項に記載のポリイミド。
（態様１５）
該ポリイミドが、（５００℃〜５２０℃の）熱分解の開始に耐えることができ、そして３００℃において、５０メガニュートン／平方メートル（ＭＮ／ｍ２）、または５００キログラム重／平方センチメートル（ｋｇｆ／ｃｍ２）の張力に耐えることができる、態様１〜１４のいずれか一項に記載のポリイミド。
（態様１６）
該ポリイミドが、破断前に少なくとも１００％の張力変形を受け、そしていったん応力が除去されるとその初期の寸法の１０％未満の残留変形で、その初期寸法を回復することを可能にするエラストマー特性を有する、態様１〜１５のいずれか一項に記載のポリイミド。
（態様１７）
少なくとも１種の二無水物と、
少なくとも１種のジアミンと、
を混合させることを含む、ポリイミドの製造方法であって、
該ジアミンの少なくとも５０ｗｔ％が、ダイマー脂肪族ジアミンからなる、方法。
（態様１８）
該方法が、生成されるポリイミドの分子量を制御するための連鎖停止剤の使用を含む、態様１７に記載の方法。
（態様１９）
ポリイミドを含む、被膜、接着剤、またはポリマーフィルム組成物であって、該ポリイミドが、少なくとも１種の二無水物と少なくとも１種のジアミンとから生成されており、該ジアミンの少なくとも５０ｗｔ％が、ダイマー脂肪族ジアミンからなる、被膜、接着剤、またはポリマーフィルム組成物。
（態様２０）
ポリイミドプレポリマーであって、該ポリイミドプレポリマーが、少なくとも１種の二無水物と少なくとも１種のジアミンとの反応生成物であるポリアミック酸であり、該ジアミンの少なくとも５０ｗｔ％がダイマー脂肪族ジアミンからなる、ポリイミドプレポリマー。
（態様２１）
ポリイミドの使用であって、該ポリイミドが、自己回復性組成物として少なくとも１種の二無水物と少なくとも１種のジアミンとから生成されており、該ジアミンの少なくとも５０ｗｔ％が、ダイマー脂肪族ジアミンからなる、使用。
（態様２２）
自己回復性ポリマー組成物であって、該組成物が少なくとも１種の二無水物と少なくとも１種のジアミンとから生成されているポリイミドを含み、該ジアミンの少なくとも５０ｗｔ％が、ダイマー脂肪族ジアミンからなる、組成物。
（態様２３）
態様１〜１６のいずれか一項に記載のポリイミドを含む、フィルム、接着剤、被膜または成形物。
【手続補正２】
【補正対象書類名】特許請求の範囲
【補正対象項目名】全文
【補正方法】変更
【補正の内容】
【特許請求の範囲】
【請求項１】
少なくとも１種の二無水物と少なくとも１種のジアミンとから生成されているポリイミドであって、該ジアミンの少なくとも５０ｗｔ％がダイマー脂肪族ジアミンからなる、ポリイミド。
【請求項２】
該二無水物が、３,３’,４,４’−ビフェニルテトラカルボン酸二無水物、２,３,３’ ,４’−ビフェニルテトラカルボン酸二無水物、ピロメリット酸二無水物、３,３’,４,４’−ベンゾフェノンテトラカルボン酸二無水物、３,３’,４,４’−ジフェニルエーテルテトラカルボン酸二無水物、１,４−ヒドロキノンジベンゾエート−３,３’,４,４’−テトラカルボン酸二無水物および１,２,３,４−ブタンテトラカルボン酸二無水物から選択される、請求項１に記載のポリイミド。
【請求項３】
該ダイマー脂肪族ジアミンが、対応するダイマー脂肪酸から生成されている、請求項１または請求項２に記載のポリイミド。
【請求項４】
該ダイマー脂肪族ジアミンが、Ｃ１０〜Ｃ３０脂肪酸の二量化生成物から誘導されている、請求項１〜３のいずれか一項に記載のポリイミド。
【請求項５】
該ダイマー脂肪族ジアミンが、Ｃ１６〜Ｃ２０脂肪酸の二量化生成物から誘導されている、請求項４に記載のポリイミド。
【請求項６】
該ダイマー脂肪族ジアミンの（質量平均）分子量が、４５０〜６９０の範囲内にある、請求項１〜５のいずれか一項に記載のポリイミド。
【請求項７】
該ダイマー脂肪族ジアミンが、直鎖または分枝不飽和脂肪酸から誘導されている、請求項１〜６のいずれか一項に記載のポリイミド。
【請求項８】
該ダイマー脂肪族ジアミンが、オレイン酸、リノール酸、リノレン酸、パルミトレイン酸、またはエライジン酸の二量化生成物から誘導されている、請求項７に記載のポリイミド。
【請求項９】
該ジアミンが、６０ｗｔ％超のダイマー脂肪族ジアミン含有量を有する、請求項１〜８のいずれか一項に記載のポリイミド。
【請求項１０】
該ダイマー脂肪族ジアミンが、１４０ｍｇＫＯＨ／ｇ〜３００ｍｇＫＯＨ／ｇｍの範囲のアミン価を有する、請求項１〜９のいずれか一項に記載のポリイミド。
【請求項１１】
該ダイマー脂肪族ジアミンのバルクアミン官能性が１．８超かつ２．３未満である、請求項９または請求項１０に記載のポリイミド。
【請求項１２】
該ダイマー脂肪族ジアミンの（２５℃での）動粘度が、２００〜３００ｍＰａ．ｓの範囲にある、請求項９〜１１のいずれか一項に記載のポリイミド。
【請求項１３】
該ジアミンが、４０ｗｔ％未満のトリマー脂肪族トリアミン含有量を有する、請求項１〜１２のいずれか一項に記載のポリイミド。
【請求項１４】
該ポリイミドの分子量が、１０,０００〜３００,０００の範囲にある、請求項１〜１３のいずれか一項に記載のポリイミド。
【請求項１５】
該ポリイミドが、（５００℃〜５２０℃の）熱分解の開始に耐えることができ、そして３００℃において、５０メガニュートン／平方メートル（ＭＮ／ｍ２）、または５００キログラム重／平方センチメートル（ｋｇｆ／ｃｍ２）の張力に耐えることができる、請求項１〜１４のいずれか一項に記載のポリイミド。
【請求項１６】
該ポリイミドが、破断前に少なくとも１００％の張力変形を受け、そしていったん応力が除去されるとその初期の寸法の１０％未満の残留変形で、その初期寸法を回復することを可能にするエラストマー特性を有する、請求項１〜１５のいずれか一項に記載のポリイミド。
【請求項１７】
少なくとも１種の二無水物と、
少なくとも１種のジアミンと、
を混合させることを含む、ポリイミドの製造方法であって、
該ジアミンの少なくとも５０ｗｔ％が、ダイマー脂肪族ジアミンからなる、方法。
【請求項１８】
該方法が、生成されるポリイミドの分子量を制御するための連鎖停止剤の使用を含む、請求項１７に記載の方法。
【請求項１９】
ポリイミドを含む、被膜、接着剤、またはポリマーフィルム組成物であって、該ポリイミドが、少なくとも１種の二無水物と少なくとも１種のジアミンとから生成されており、該ジアミンの少なくとも５０ｗｔ％が、ダイマー脂肪族ジアミンからなる、被膜、接着剤、またはポリマーフィルム組成物。
【請求項２０】
ポリイミドプレポリマーであって、該ポリイミドプレポリマーが、少なくとも１種の二無水物と少なくとも１種のジアミンとの反応生成物であるポリアミック酸であり、該ジアミンの少なくとも５０ｗｔ％がダイマー脂肪族ジアミンからなる、ポリイミドプレポリマー。
【請求項２１】
ポリイミドの使用であって、該ポリイミドが、自己回復性組成物として少なくとも１種の二無水物と少なくとも１種のジアミンとから生成されており、該ジアミンの少なくとも５０ｗｔ％が、ダイマー脂肪族ジアミンからなる、使用。
【請求項２２】
自己回復性ポリマー組成物であって、該組成物が少なくとも１種の二無水物と少なくとも１種のジアミンとから生成されているポリイミドを含み、該ジアミンの少なくとも５０ｗｔ％が、ダイマー脂肪族ジアミンからなる、組成物。
【請求項２３】
請求項１〜１６のいずれか一項に記載のポリイミドを含む、フィルム、接着剤、被膜または成形物。